(57)【特許請求の範囲】
【請求項１】
インペラケーシングの下部に多孔筒部と多孔底板とからなる筒状ストレーナを一体的に連設し、前記インペラケーシングの上部に連設された駆動モータの出力軸が、前記筒状ストレーナの多孔底板の中央部に設けられた貫通孔を通して下方に突出され、突出先部に攪拌体が固着されている水中ポンプにおいて、
前記攪拌体が前記多孔底板の下方に配置され、しかも、前記攪拌体の上部に水平方向流発生羽根を下部に下方向攪拌流発生羽根をそれぞれ設けて、前記筒状ストレーナの目詰まりを防止するめための水平方向流発生部と、濁水中の泥の沈殿を防止するための下方向攪拌流発生部とが形成され、
更に、前記攪拌体の直下に、該攪拌体の回転によって生じる下方向攪拌流による土砂等の掘削を防止するための掘削防止板が配設されていることを特徴とする攪拌抑制機能を有する水中ポンプ。
【請求項２】
インペラケーシングの下部に多孔筒部と多孔底板とからなる筒状ストレーナを一体的に連設し、前記インペラケーシングの上部に連設された駆動モータの出力軸が、前記筒状ストレーナの多孔底板の中央部に設けられた貫通孔を通して下方に突出され、突出先部に攪拌体が固着されている水中ポンプにおいて、
前記攪拌体の直下に、該攪拌体の回転によって生じる下方向攪拌流による土砂等の掘削を防止するための掘削防止板が配設され、しかも、前記掘削防止板を形成する平板は、中央閉塞部の周りに周縁開口部が設けられており、該周縁開口部は、前記筒状ストレーナの投影面積に対して１０％〜５０％の割合の面積を有することを特徴とする攪拌抑制機能を有する水中ポンプ。
【請求項３】
インペラケーシングの下部に多孔筒部と多孔底板とからなる筒状ストレーナを一体的に連設し、前記インペラケーシングの上部に連設された駆動モータの出力軸が、前記筒状ストレーナの多孔底板の中央部に設けられた貫通孔を通して下方に突出され、突出先部に攪拌体が固着されている水中ポンプにおいて、
前記攪拌体の直下に、該攪拌体の回転によって生じる下方向攪拌流による土砂等の掘削を防止するための掘削防止板が配設され、しかも、前記掘削防止板を形成する平板の中央部には中央開口部が設けられており、該中央開口部は、前記平板全体の面積の１０％〜５０％を占めることを特徴とする攪拌抑制機能を有する水中ポンプ。
【発明の詳細な説明】
【０００１】
【発明の属する技術分野】
本発明は、土木・建築現場において、各種の溝や穴内に流入する濁水を効果的に排水処理することができる攪拌抑制機能を有する水中ポンプに関する。なお、ここで、濁水とは、泥を含む雨水や、土木・建築工事で水を使用することによって発生する泥水や、ベントナイトを含む水等をいう。
【０００２】
【従来の技術】
前記した土木・建築現場においては、例えば、コンクリート基礎工事のために予め掘削された溝や穴内に濁水が流入するが、この濁水をそのまま放置したのでは、その後の土木建築工事を円滑に進めることができなくなる。そこで、図６に示すように、水中ポンプ５０を濁水５１が流入した溝５２内に設置し、このような濁水を溝５２から外部に排除するようにしている。
【０００３】
即ち、図６及び図７に示すように、水中ポンプ５０は、内部に回転自在にインペラ５３が配設されているインペラケーシング５４と、インペラケーシング５４の上部に載置され、その出力軸５５の先部にインペラ５３が固着されている駆動モータ５７と、インペラケーシング５４の下部に連設され多孔筒部と多孔底板とからなる筒状ストレーナ５８と、筒状ストレーナ５８の多孔底板の中央部に設けられた貫通孔を通して下方に突出される出力軸５５の突出先部に固着される攪拌体６０とを具備する。なお、６１は駆動モータ５７を水密状態に囲繞するモータケーシング、６２はインペラケーシング５４の周壁の一部に設けられた開口部に連通連結された濁水配管である。
【０００４】
そして、駆動モータ５７を回転することによって、インペラ５３と攪拌体６０とを一体的に回転し、攪拌体６０の回転によって下方向攪拌流を形成して、溝５２中の濁水５１を攪拌して濁水５１中の泥等が溝５２内に沈殿しないようにすると共に、インペラ５３の回転によってインペラケーシング５４内に負圧を発生させ、下方向攪拌流が筒状ストレーナ５８の多孔筒部を通して筒状ストレーナ５８内に流入し、その後、インペラケーシング５４内に吸引され、濁水配管６２を通して外部に排出されるようにしている。
【０００５】
【発明が解決しようとする課題】
しかし、前記した従来の水中ポンプ５０は、以下の解決すべき課題を有していた。
即ち、図６及び図７に示すように、従来の水中ポンプ５０において用いられる攪拌体６０は、専ら、水底や海底における土砂等の強力な掘削作用を目的とするため、攪拌体６０は強力な下方向攪拌流しか発生することができない。
一方、水中ポンプ５０を溝５２の載置面に載置するに際しては、従来は、図７及び図８に示すように、筒状ストレーナ５８の周縁に複数の支持脚６３を取り付け、これらの支持脚６３の下端を補強リブ６４によって補強された棒鋼製の連結環６５によって連結し、この連結環６５を載置面に載置することによって行われている。従って、図７及び図８に示すように、筒状ストレーナ５８の下部をなす溝５２の載置面は殆ど水中に露出状態にある。このことは、図９に示すように、水中ポンプ５０を支持する連結環６６の内側に同心円的に補強リング６７を配設し、この補強リング６７を複数の補強リブ６８によって連結環６６に連結した載置構造においても同様である。なお、６９は支持脚を示す。
【０００６】
従って、このような濁水５１の排出作業では、濁水５１中の泥分等が溝５２内に沈殿するのを防止することができれば足りるにもかかわらず、攪拌体６０は、その強力な下方向攪拌流を発生し、しかも、水中ポンプ５０の直下に位置する載置面は水中に露出状態にあるので、この載置面、場合によっては、その周縁部の土を強力に掘削することになる。このようにして掘削された土は濁水の濃度を著しく高めることになり、その結果、インペラ５３やインペラケーシング５４の摩耗が激しくなり、水中ポンプ５０やその部品の寿命を短命化し、メンテナンス費用を高いものとしていた。
【０００７】
また、濁水５１中に木の葉等が混入されている場合は、木の葉等が筒状ストレーナ５８の多孔筒部や多孔底板に吸着され、その結果、水中ポンプ５０による排水効率を低下したり、あるいは、排水不能とするおそれがあるが、かかる木の葉等の付着に対しては何ら配慮がされていなかった。
【０００８】
本発明は、このような事情に鑑みなされたものであり、土木・建築現場において、各種の溝や穴内に流入する濁水を効果的に排水処理することができる攪拌抑制機能を有する水中ポンプに関する。
【０００９】
【課題を解決するための手段】
前記目的に沿う請求項１記載の攪拌抑制機能を有する水中ポンプは、インペラケーシングの下部に多孔筒部と多孔底板とからなる筒状ストレーナを一体的に連設し、前記インペラケーシングの上部に連設された駆動モータの出力軸が、前記筒状ストレーナの多孔底板の中央部に設けられた貫通孔を通して下方に突出され、突出先部に攪拌体が固着されている水中ポンプにおいて、
前記攪拌体が前記多孔底板の下方に配置され、しかも、前記攪拌体の上部に水平方向流発生羽根を下部に下方向攪拌流発生羽根をそれぞれ設けて、前記筒状ストレーナの目詰まりを防止するめための水平方向流発生部と、濁水中の泥の沈殿を防止するための下方向攪拌流発生部とが形成され、
更に、前記攪拌体の直下に、該攪拌体の回転によって生じる下方向攪拌流による土砂等の掘削を防止するための掘削防止板が配設されている。
【００１０】
請求項２記載の攪拌抑制機能を有する水中ポンプは、インペラケーシングの下部に多孔筒部と多孔底板とからなる筒状ストレーナを一体的に連設し、前記インペラケーシングの上部に連設された駆動モータの出力軸が、前記筒状ストレーナの多孔底板の中央部に設けられた貫通孔を通して下方に突出され、突出先部に攪拌体が固着されている水中ポンプにおいて、
前記攪拌体の直下に、該攪拌体の回転によって生じる下方向攪拌流による土砂等の掘削を防止するための掘削防止板が配設され、しかも、前記掘削防止板を形成する平板は、中央閉塞部の周りに周縁開口部が設けられており、該周縁開口部は、前記筒状ストレーナの投影面積に対して１０％〜５０％の割合の面積を有する。
【００１１】
請求項３記載の攪拌抑制機能を有する水中ポンプは、インペラケーシングの下部に多孔筒部と多孔底板とからなる筒状ストレーナを一体的に連設し、前記インペラケーシングの上部に連設された駆動モータの出力軸が、前記筒状ストレーナの多孔底板の中央部に設けられた貫通孔を通して下方に突出され、突出先部に攪拌体が固着されている水中ポンプにおいて、
前記攪拌体の直下に、該攪拌体の回転によって生じる下方向攪拌流による土砂等の掘削を防止するための掘削防止板が配設され、しかも、前記掘削防止板を形成する平板の中央部には中央開口部が設けられており、該中央開口部は、前記平板全体の面積の１０％〜５０％を占める。
【００１２】
【００１３】
【発明の実施の形態】
続いて、添付した図面を参照しつつ、本発明を具体化した幾つかの実施の形態につき説明し、本発明の理解に供する。
【００１４】
（第１の実施の形態）
図１を参照して、本発明の第１の実施の形態に係る攪拌抑制機能を有する水中ポンプの基本的構成を説明する。
【００１５】
図１に示すように、水中ポンプ１０は、溝１１内に流入した泥分や木の葉等を混入した濁水１２内に投入され、溝１１の底面上に設置される。
【００１６】
水中ポンプ１０は、内部に回転自在にインペラ１３が配設されているインペラケーシング１４と、インペラケーシング１４の上部に載置され、その出力軸１５の先部にインペラ１３が固着されている図示しない駆動モータと、インペラケーシング１４の下部に連設され多孔筒部１６と多孔底板１７とからなる筒状ストレーナ１８と、筒状ストレーナ１８の多孔底板１７の中央部に設けられた貫通孔１９を通して下方に突出される出力軸１５の突出先部に固着される攪拌体２０とを具備する。なお、２１は駆動モータを水密状態に囲繞するモータケーシング、２２はインペラケーシング１４の周壁の一部に設けられた開口部に連通連結された濁水配管である。
【００１７】
本実施の形態に係る水中ポンプ１０は、前記した基本構成に、さらに、図１及び図２に示すように、攪拌体２０の直下に、攪拌体２０の回転によって生じる下方向攪拌流Ａによる土砂等の掘削を防止するための掘削防止板２３が配設されていることを特徴とする。
【００１８】
即ち、図１及び図２に示すように、筒状ストレーナ１８の下部周縁には複数の支持脚２４の上端が取り付けられており、これらの支持脚２４の下端は、筒状ストレーナ１８の直下方に配設された掘削防止板２３の周縁部に、一体的、又は着脱自在に連結されている。
【００１９】
図示するように、掘削防止板２３は、筒状ストレーナ１８の多孔底板１７と略同一形状及び同一寸法を有しており、また、従来と異なり、全面にわたって閉塞又は盲板状態になっている。
【００２０】
以下、前記した構成を有する水中ポンプ１０の作動、特に、掘削防止板２３の作動について説明する。
【００２１】
駆動モータを回転することによって、インペラ１３と攪拌体２０とは一体的に回転されることになる。
この際、攪拌体２０の回転によって、水中ポンプ１０が設置されている溝１１の設置面に向けて流れる下方向攪拌流Ａが発生することになるが、攪拌体２０の直下には、筒状ストレーナ１８の多孔底板１７と略等しい面積を有する掘削防止板２３が配設されているので、下方向攪拌流Ａは掘削防止板２３に衝突し、その後、反射されて外部に放射状に流出することになる。
【００２２】
従って、攪拌体２０によって、水中ポンプ１０が設置されている場所の土が下方向攪拌流Ａによってを掘削されることがなくなり掘削された場合に生じる濁水１２の高濃度化に起因するインペラ１３やインペラケーシング１４の摩耗を可及的に防止することができ、水中ポンプ１０やその部品の長寿命化を図ることができると共に、メンテナンスも容易にすることができる。
【００２３】
図３及び図４に、前記した掘削防止板２３の幾つかの変容例を示す。
図３に示すように、第１の変容例に係る掘削防止板２３Ａは、下方向攪拌流Ａを発生するための攪拌体として、直筒の外周面にプロペラを取り付けた攪拌体を用いた場合に好適に使用できるものである。
【００２４】
即ち、この場合、攪拌体は、プロペラの回転によって攪拌体の直下に向けて流れる下方向攪拌流を発生することになる。従って、掘削防止板２３Ａは、平板の中央部に、この下方向攪拌流を受けるために必要十分な面積を有する中央閉塞部２５を形成すると共に、その中央閉塞部２５の周りに周縁開口部２６が設けられている。
【００２５】
この周縁開口部２６は、筒状ストレーナ１８の投影面積に対して１０％〜５０％の割合の面積を有する。なお、掘削防止板２３Ａの中央閉塞部２５は、連結リブ２７と連結環２８を介して筒状ストレーナ１８に連結される。周縁開口部２６の割合を１０％〜５０％としたのは、１０％より小さい場合は、掘削防止板２３Ａの軽量化を図ることができず、一方、５０％より大きくした場合は、水中ポンプ１０の設置場所における土を掘削するおそれがあるからである。
【００２６】
この場合においても、攪拌体２０の下方向攪拌流Ａが掘削防止板２３Ａの中央部のみに向けて流れる場合は、効果的に、下方向攪拌流Ａは中央閉塞部２５に衝突し、その後、反射されて放射状に流出することになる。
従って、水中ポンプ１０が設置されている場所の土が下方向攪拌流Ａによって掘削されることがなくなり掘削された場合に生じる濁水１２の高濃度化に起因するインペラ１３やインペラケーシング１４の摩耗を可及的に防止することができ、水中ポンプ１０やその部品の長寿命化を図ることができると共に、メンテナンスも容易にすることができる。
【００２７】
図４に示すように、第２の変容例に係る掘削防止板２３Ｂは、下方向攪拌流Ａを発生するための攪拌体として、下方に向けて漸次直径を小さくするテーパ部の外周面に攪拌羽根が取り付けられ、かつ、テーパ部の傾斜角度が比較的緩やかな攪拌体を用いた場合に好適に使用できるものである。
【００２８】
即ち、この場合、攪拌体は、攪拌体の回転によって筒状ストレーナ１８の外周部に向けて下方向攪拌流を発生することになる。従って、掘削防止板２３Ｂは、平板の中央部に中央開口部３０が形成されると共に、中央開口部３０の周りに環状円板からなる周縁閉塞部２９が形成されている。そして、中央開口部３０の面積は、掘削防止板２３Ｂを構成する平板全体の面積の１０％〜５０％を占めるようにしている。中央開口部３０の面積を平板全体の面積の１０％〜５０％としたのは、１０％より小さい場合は、掘削防止板の軽量化を図ることができず、一方、５０％より大きくした場合は、水中ポンプ１０の設置場所における土を掘削するおそれがあるからである。
【００２９】
この場合においても、攪拌体２０の下方向攪拌流Ａが、特に掘削防止板２３Ｂの周縁閉塞部２９に向けて流れる場合は、下方向攪拌流Ａは周縁閉塞部２９に衝突し、その後、反射されて放射状に流出することになる。
従って、水中ポンプ１０が設置されている場所の土が下方向攪拌流Ａによって掘削されることがなくなり掘削された場合に生じる濁水１２の高濃度化に起因するインペラ１３やインペラケーシング１４の摩耗を可及的に防止することができ、水中ポンプ１０やその部品の長寿命化を図ることができると共に、メンテナンスも容易にすることができる。
なお、図４において、２９ａは支持脚である。
【００３０】
（第２の実施の形態）
本実施の形態に係る水中ポンプ１０Ａは、図５に示すように、第１の実施の形態の構成に加えて、攪拌体３１の上部と下部に、それぞれ、筒状ストレーナ１８の目詰まりを防止するための水平方向流発生部３２と、濁水１２中の土砂の沈殿を防止するための下方向攪拌流発生部３３とが形成されることを特徴とする。なお、攪拌体３１を除いて、本実施の形態に係る水中ポンプ１０Ａは、図１に示す第１の実施の形態に係る水中ポンプ１０と同一の構成を有するので、同一の構成要素は同一の符号で示す。
【００３１】
図５に示すように、本実施の形態では、攪拌体３１の本体を形成する羽根取付軸は、全高にわたって同一直径を有する直筒部３４と、この直筒部３４の下部に一体的に連設され下方に向けて漸次直径を小さくするテーパ部３５とからなる。そして、直筒部３４の外周面には、円周方向に間隔を開けて、矩形板からなる複数の水平方向流発生羽根３６が、羽根取付軸の軸線と平行に取り付けられており、テーパ部３５の外周面には、円周方向に間隔を開けて複数の楕円状の下方向攪拌流発生羽根３７が、羽根取付軸の軸線に対して所定のねじり角度をもって取り付けられている。
【００３２】
前記構成において、直筒部３４と水平方向流発生羽根３６とによって水平方向流発生部３２が形成される。そして、この水平方向流発生部３２を回転すると、複数の水平方向流発生羽根３６は、直筒部３４に、羽根取付軸の軸線と平行に取り付けられているので、濁水１２は、水中ポンプ１０Ａが設置されている溝１１の設置面と略平行に流れることになる。即ち、水平方向流発生部３２の回転によって水平方向流Ｂが容易に発生されることになる。
【００３３】
一方、テーパ部３５と下方向攪拌流発生羽根３７とによって下方向攪拌流発生部３３が形成される。そして、この下方向攪拌流発生部３３を回転すると、複数の下方向攪拌流発生羽根３７は、テーパ部３５に、羽根取付軸の軸線に対して所定のねじり角度をもって取り付けられているので、濁水１２は、水中ポンプ１０Ａが設置されている溝１１の設置面に向けて流れることになる。即ち、下方向攪拌流発生部３３の回転によって下方向攪拌流Ｃが容易に発生されることになる。
【００３４】
以下、上記した構成を有する水中ポンプ１０Ａの作動、特に、攪拌体３１の作動について説明する。
【００３５】
駆動モータを回転することによって、インペラ１３と、水平方向流発生部３２と下方向攪拌流発生部３３とを具備する攪拌体３１とを一体的に回転されることになる。
この際、攪拌体３１の回転によって、水中ポンプ１０Ａが設置されている溝１１の設置面に向けて流れる下方向攪拌流Ｃが発生することになるが、攪拌体３１の直下には、筒状ストレーナ１８の多孔底板１７と略等しい面積を有する掘削防止板２３が配設されているので、下方向攪拌流Ｃは掘削防止板２３に衝突し、その後、反射されて外部に放射状に流出することになる。
【００３６】
従って、攪拌体３１によって、水中ポンプ１０Ａが設置されている場所の周縁の部の土が下方向攪拌流Ｃによってを掘削されることがなくなり掘削された場合に生じる濁水１２の高濃度化に起因するインペラ１３やインペラケーシング１４の摩耗を可及的に防止することができ、水中ポンプ１０Ａやその部品の長寿命化を図ることができると共に、メンテナンスも容易にすることができる。
【００３７】
また、本実施の形態では、下方向攪拌流Ｃは、攪拌体３１の全体ではなく、その一部をなす下方向攪拌流発生部３３の回転によって発生するようにしているので、溝１１の設置面上に濁水１２中の泥等が沈殿するのを防止するために必要十分な水勢しか発生しない。
【００３８】
また、前述したように、水平方向流発生部３２の回転によって、水中ポンプ１０Ａが設置されている溝１１の設置面と略平行に流れる水平方向流Ｂが発生されることになるため、濁水１２中に木の葉等が混入されている場合であっても、木の葉等が筒状ストレーナ１８の多孔筒部１６や多孔底板１７に吸着されるのを効果的に防止することができ、常時、水中ポンプ１０Ａの良好な排水効率を維持することができ、安定した排水作業を行うことができる。
【００３９】
【発明の効果】
請求項１〜３記載の攪拌抑制機能を有する水中ポンプにおいては、インペラケーシングの下部に多孔筒部と多孔底板とからなる筒状ストレーナを一体的に連設し、インペラケーシングの上部に連設された駆動モータの出力軸が、筒状ストレーナの多孔底板の中央部に設けられた貫通孔を通して下方に突出され、突出先部に攪拌体が固着されている水中ポンプにおいて、攪拌体の直下に、攪拌体の回転によって生じる下方向攪拌流による土砂等の掘削を防止するための掘削防止板が配設されている。
【００４０】
従って、攪拌体の回転によって生じる下方向攪拌流は掘削防止板に衝突することになるので、水中ポンプが設置されている場所の土が下方向攪拌流によって掘削されることがなくなり、掘削された場合に生じる濁水の高濃度化に起因するインペラやインペラケーシングの摩耗を可及的に防止することができ、水中ポンプやその部品の長寿命化を図ることができると共に、メンテナンスも容易にすることができる。
そして、請求項１記載の攪拌抑制機能を有する水中ポンプにおいては、攪拌体の上部と下部に、それぞれ、筒状ストレーナの目詰まりを防止するための水平方向流発生部と、濁水中の土砂の沈殿を防止するための下方向攪拌流発生部とが形成されている。
従って、水中ポンプが設置されている場所のみならず、その周縁部における土も掘削するおそれがなくなり、周縁の部の土を掘削された場合に生じる濁水の高濃度化に起因するインペラやインペラケーシングの摩耗を可及的に防止することができ、水中ポンプやその部品の長寿命化を図ることができると共に、メンテナンスも容易にすることができる。
また、水平方向流発生部の回転によって水平方向流が発生されることになるため、濁水中に木の葉等が混入されている場合であっても、木の葉等が筒状ストレーナの多孔筒部や多孔底板に吸着されるのを効果的に防止することができ、常時、水中ポンプの良好な排水効率を維持することができ、安定した排水作業を行うことができる。
【００４１】
特に、請求項２記載の攪拌抑制機能を有する水中ポンプにおいては、掘削防止板を形成する平板は、中央閉塞部の周りに周縁開口部が設けられており、周縁開口部は、筒状ストレーナの投影面積に対して１０％〜５０％の割合の面積を有するようにしている。
従って、特に攪拌体として攪拌体の直下に向けて流れる下方向攪拌流を発生する攪拌体を用いた場合において、掘削防止板の軽量化を図りつつ、下方向攪拌流による水中ポンプ設置場所における土の掘削を効果的に防止することができる。
【００４２】
請求項３記載の攪拌抑制機能を有する水中ポンプにおいては、掘削防止板を形成する平板の中央部には中央開口部が設けられており、この中央開口部は、平板全体の面積の１０％〜５０％を占めるようにしている。
従って、特に攪拌体として、下方に向けて漸次直径を小さくするテーパ部の外周面に攪拌羽根が取り付けられ、かつ、テーパ部の傾斜角度が比較的緩やかな攪拌体を用いた場合において、掘削防止板の軽量化を図りつつ、下方向攪拌流による水中ポンプ設置場所における土の掘削を効果的に防止することができる。
【００４３】
【００４４】
【図面の簡単な説明】
【図１】本発明の第１の実施の形態に係る攪拌抑制機能を有する水中ポンプの一部切欠正面図である。
【図２】図１のＩ−Ｉ矢視図である。
【図３】掘削防止板の第１の変容例の説明図である。
【図４】掘削防止板の第２の変容例の説明図である。
【図５】本発明の第２の実施の形態に係る攪拌抑制機能を有する水中ポンプの一部切欠正面図である。
【図６】従来の水中ポンプの使用状態の説明図である。
【図７】同正断面図である。
【図８】同底面図である。
【図９】同他の底面図である。
【符号の説明】
Ａ  下方向攪拌流                    Ｂ  水平方向流
Ｃ  下方向攪拌流                    １０  水中ポンプ
１０Ａ  水中ポンプ                  １１  溝
１２  濁水                          １３  インペラ
１４  インペラケーシング            １５  出力軸
１６  多孔筒部                      １７  多孔底板
１８  筒状ストレーナ                １９  貫通孔
２０  攪拌体                       ２１  モータケーシング
２２  濁水配管                      ２３  掘削防止板
２３Ａ  掘削防止板                  ２３Ｂ  掘削防止板
２４  支持脚                        ２５  中央閉塞部
２６  周縁開口部                   ２７  連結リブ
２８  連結環                        ２９  周縁閉塞部
２９ａ  支持脚                      ３０  中央開口部
３１  攪拌体                       ３２  水平方向流発生部
３３  下方向攪拌流発生部            ３４  直筒部
３５  テーパ部                      ３６  水平方向流発生羽根
３７  下方向攪拌流発生羽根
【図１】
0003554635.tif 000002
【図２】
0003554635.tif 000003
【図３】
0003554635.tif 000004
【図４】
0003554635.tif 000005
【図５】
0003554635.tif 000006
【図６】
0003554635.tif 000007
【図７】
0003554635.tif 000008
【図８】
0003554635.tif 000009
【図９】
0003554635.tif 000010